(57)【要約】【課題】複数の用紙を折り重ねた冊子において、見出し部分を形成し、かつ、封筒部分を切取り可能に設けてその利便性を一層向上させるとともに、封筒部分を切り取った後も冊子としての見栄えや使い勝手を損なわないようにする。【解決手段】複数の用紙をその一端を左右方向にずらして重ねて２つ折りして折り部を形成し、該折り部に沿って前記複数の用紙を互いに貼着した複数葉からなる冊子であって、前記冊子の各葉の横幅は、表紙から順に最終葉を除いて大きくなり、前記複数葉のうちの１葉には用紙の一端を折り返して形成された封筒部を切取り可能に設けている。【選択図】図１
2015101027.tif 000002
【特許請求の範囲】
【請求項１】
複数の用紙をその一端を左右方向にずらして重ねて２つ折りして折り部を形成し、該折り部に沿って前記複数の用紙を互いに貼着した複数葉からなる冊子であって、
前記冊子の各葉の横幅は、表紙から順に最終葉を除いて大きくなり、
前記複数葉のうちの１葉には用紙の一端を折り返して形成された封筒部を切取り可能に設けたこと
を特徴とする封筒付冊子。
【請求項２】
第１の用紙と第２の用紙をその一端を左右方向にずらして重ねて２つ折りして折り部を形成し、該折り部に沿って前記第１の用紙と前記第２の用紙を互いに貼着した複数葉からなる冊子であって、
前記第１の用紙は、表紙と最終葉を形成し、
前記第２の用紙は、第二葉と第三葉を形成し、
前記表紙、前記第二葉、前記第三葉は、この順で横幅が大きくなり
前記最終葉には用紙の一端を折り返して形成された封筒部を切取り可能に設けたこと
を特徴とする封筒付冊子。
【請求項３】
前記複数葉のうちの１葉の前記折り部近傍には第１の切取り線が設けられ、該第１の切取り線から前記封筒部が切取り可能に形成されたことを特徴とする請求項１に記載した封筒付冊子。
【請求項４】
前記最終葉の前記折り部近傍には第１の切取り線が設けられ、該第１の切取り線から前記封筒部が切取り可能に形成されたことを特徴とする請求項２に記載した封筒付冊子。
【請求項５】
前記第二葉又は前記第三葉の前記折り部には第２の切取り線が設けられ、該第２の切取り線から前記第二葉又は前記第三葉は切取り可能となっていることを特徴とする請求項３又は請求項４に記載した封筒付冊子。
【請求項６】
前記第三葉には前記折り部に沿って第３の用紙を貼着し、該第３の用紙の横幅は、前記第二葉の横幅より大きく、前記第三葉の横幅より小さいことを特徴とする請求項３乃至請求項５に記載した封筒付冊子。
【発明の詳細な説明】
【技術分野】
【０００１】
本発明は、金融、保険サービス等の案内申込書、商品等の購入説明書等の各種パンフレットに用いる封筒付冊子、特に見出し部を備えた封筒付冊子に関するものである。
【背景技術】
【０００２】
近年、金融、保険サービス等の案内申込書や商品等の購入説明書等においては、サービス内容や商品の説明が記載されると共に、そのサービスを受けたい者やその商品を購入したい者のために、サービス申込書や商品購入書となる記入欄が設けられている。そして、このような案内申込書や購入説明書は、記入したサービス申込書や商品購入書を郵送するための封筒部分が付設された封筒付冊子とされる場合も多い。また、一般に各種パンフレットに使用される冊子は、複数の用紙を折り重ねてその折り部において各葉を貼着した形態からなるが、そのような形態の冊子において、各葉の横幅を表紙から最終葉に至るまで順次大きくして、各葉に見出し部を備えたものも用いられている。
【０００３】
実公昭６０−２１２５１号公報（特許文献１）や特開平７−２３７３７３号公報（特許文献２）には、上記のような封筒付冊子の例が示されている。また、実公平７−３７８８８号公報（特許文献３）や特開２００６−３１５２５２号公報（特許文献４）には、上記のような見出し部を備えた冊子（見出し付冊子）の例が示されている。
【０００４】
図１３、図１４は、特許文献１に示された封筒付冊子２０を表したもので、図１３は、封筒付冊子２０の平面図、図１４は、封筒付冊子２０を正面から見た状態を模式的に表した説明図である。この封筒付冊子２０においては、印刷が施された用紙２１の左側部分が折り返されて、その重なり部分の上端部と下端部が接着剤２２で貼着されて封筒部２３が切り取り可能に形成され、用紙２１の右側部分には、複数の用紙２５が接着剤２４で貼着されている。
【０００５】
図１５、図１６は、特許文献２に示された２つ折りの封筒付冊子３０を表したもので、図１５は、封筒付冊子３０を開いた状態の平面図、図１６は、開いた封筒付冊子３０を正面から見た状態を模式的に表した説明図である。この封筒付冊子３０においては、印刷が施された表紙３１の右側部分が折り返されて、その重なり部分の上端部と下端部が接着剤３２で貼着されて封筒３３が分離可能に形成され、表紙３１の左側部分には、複数の申込用紙３４が接着剤３５で分離可能に貼着され、さらに説明事項記載片となる複数の用紙３６が接着剤３７で表紙３１に貼着されている。
【０００６】
図１７、図１８は、特許文献３に示された見出し付冊子４０を表したもので、図１７は、見出し付冊子４０の各葉を少し開いた状態の斜視図、図１８は、見出し付冊子４０の用紙の重なり状態を表した説明図である。この見出し付冊子４０においては、同一サイズの用紙４１、４２、４３がこの順で左右方向にずらせて重ねられ、各折り線４４、４５、４６よってこれらの用紙が冊子の各葉４１ａ、４１ｂ、４２ａ、４２ｂ、４３ａ、４３ｂに分割され、折り線４４〜４６に沿って用紙４１〜４３が互いに接着剤で貼着された後、これらの折り線４４〜４６から用紙４１〜４３が折り重ねられている。そして、見出し付冊子４０の各葉４１ａ、４２ａ、４３ａ、４３ｂ、４２ｂ、４１ｂはこの順で重なり、その横幅は、表紙（４１ａ）から最終葉（４１ｂ）に行くにつれて順次大きくなって、見出し部が形成されている。
【０００７】
図１９、図２０は、特許文献４に示された送付用情報記録冊子（見出し付冊子の一種）５０を表したもので、図１９は、送付用情報記録冊子５０の平面図、図２０は、送付用情報記録冊子５０を正面から見た状態を模式的に表した説明図である。この送付用情報記録冊子５０においては、同一サイズの２枚の用紙５１、５２が左右方向にずらせて重ねられ、その折り部５３に沿って接着剤５４で貼着されて、表紙側から順に複数葉５１ａ、５２ａ、５２ｂ、５１ｂが束ねられている。そして、送付用情報記録冊子５０の各葉の横幅は、表紙（５１ａ）から最終葉（５１ｂ）に行くにつれて順次大きくなって、見出し部５６を形成し、さらに、各葉の折り部５３に対向する端部は、弱接着剤５５によって剥離可能に貼着され、送付用情報記録冊子５０は封書として郵送できるようになっている。
【０００８】
しかしながら、特許文献１や特許文献２に示されるような封筒付冊子にあっては、見出し部分がなく、各種案内用のパンフレット（冊子）として使用する場合の利便性に欠けていた。また、特許文献３や特許文献４に示されるような見出し付冊子にあっては、封筒部分がなく、各種サービスの案内申込書や商品の購入説明書用のパンフレット（冊子）として使用する場合の利便性に欠けていた。
【０００９】
一方、実用新案登録第３０８４９８５号公報（特許文献５）には、インデックス化された返信用封筒付きメールオーダー情報媒体が示され、このメールオーダー情報媒体は、見出し部と返信用封筒の両方を備えたものである。
【００１０】
しかしながら、特許文献５に示されたメールオーダー情報媒体は、１枚の用紙をＺ状に折り畳んで形成されたもので、複数の用紙を折り重ねて綴じ合わせて形成されるパンフレット（冊子）とは異なり、各種サービスや商品の案内説明書としての使い勝手が悪く、また、見栄えの悪いものであった。
【先行技術文献】
【特許文献】
【００１１】
【特許文献１】実公昭６０−２１２５１号公報
【特許文献２】特開平７−２３７３７３号公報
【特許文献３】実公平７−３７８８８号公報
【特許文献４】特開２００６−３１５２５２号公報
【特許文献５】実用新案登録第３０８４９８５号公報
【発明の概要】
【発明が解決しようとする課題】
【００１２】
本発明が解決しようとする課題は、複数の用紙を折り重ねた冊子において、見出し部分を形成し、かつ、封筒部分を切取り可能に設けてその利便性を一層向上させるとともに、封筒部分を切り取った後も冊子としての見栄えや使い勝手を損なわないようにすることである。
【課題を解決するための手段】
【００１３】
本発明は、複数の用紙をその一端を左右方向にずらして重ねて２つ折りして折り部を形成し、該折り部に沿って前記複数の用紙を互いに貼着した複数葉からなる冊子であって、前記冊子の各葉の横幅は、表紙から順に最終葉を除いて大きくなり、前記複数葉のうちの１葉には用紙の一端を折り返して形成された封筒部を切取り可能に設けた封筒付冊子を提供して、上記課題を解決するものである。
【００１４】
また、本発明は、第１の用紙と第２の用紙をその一端を左右方向にずらして重ねて２つ折りして折り部を形成し、該折り部に沿って前記第１の用紙と前記第２の用紙を互いに貼着した複数葉からなる冊子であって、前記第１の用紙は、表紙と最終葉を形成し、前記第２の用紙は、第二葉と第三葉を形成し、前記表紙、前記第二葉、前記第三葉は、この順で横幅が大きくなり、前記最終葉には用紙の一端を折り返して形成された封筒部を切取り可能に設けた封筒付冊子を提供して、上記課題を解決するものである。
【発明の効果】
【００１５】
本発明の封筒付冊子においては、複数の用紙をその一端を左右方向にずらして重ねて２つ折りして折り部を形成し、該折り部に沿って前記複数の用紙を互いに貼着した複数葉からなる冊子を構成し、この冊子の各葉の横幅は、表紙から順に最終葉を除いて大きくなっていることから、各葉には見出し部が形成され、かつ、前記複数葉のうちの１葉には用紙の一端を折り返して形成された封筒部が切取り可能に設けられているため、その利便性が一層向上すると共に、封筒部分を切り取った後も冊子としての見栄えや使い勝手を損なわないという効果を奏する。
【００１６】
また、本発明の封筒付冊子においては、第１の用紙と第２の用紙をその一端を左右方向にずらして重ねて２つ折りして折り部を形成し、該折り部に沿って前記第１の用紙と前記第２の用紙を互いに貼着した複数葉からなる冊子を構成し、前記第１の用紙は表紙と最終葉を形成し、前記第２の用紙は第二葉と第三葉を形成し、前記表紙、前記第二葉、前記第三葉はこの順で横幅が大きくなっていることから、前記第二葉と第三葉には見出し部が形成され、かつ、前記最終葉には用紙の一端を折り返して形成された封筒部を切取り可能に設けられているため、その利便性が一層向上すると共に、封筒部分を切り取った後も冊子としての見栄えや使い勝手を損なわないという効果を奏する。
【図面の簡単な説明】
【００１７】
【図１】実施例１の封筒付冊子１の構成を説明するための斜視図である。
【図２】折り重ねた封筒付冊子１を正面から見た状態を模式的に表した説明図である。
【図３】折り重ねた封筒付冊子１の平面図である。
【図４】折り重ねた封筒付冊子１の底面図である。
【図５】封筒付冊子１を第二葉３から開いた状態の平面図である。
【図６】図５に示す封筒付冊子１を正面から見た状態を模式的に表した説明図である。
【図７】図６のＸＸ断面図である。
【図８】封筒付冊子１の製造方法するに際し、用紙に施す加工の種類と位置を表した説明図である。
【図９】実施例２の封筒付冊子１１の構成を説明するための斜視図である。
【図１０】折り重ねた封筒付冊子１１を正面から見た状態を模式的に表した説明図である。
【図１１】折り重ねた封筒付冊子１１の平面図である。
【図１２】封筒付冊子１１の製造方法するに際し、連続する１枚の用紙に施す加工の種類と位置を表した説明図である。
【図１３】特許文献１に示された封筒付冊子２０の平面図である。
【図１４】封筒付冊子２０を正面から見た状態を模式的に表した説明図である。
【図１５】特許文献２に示された封筒付冊子３０を開いた状態の平面図である。
【図１６】開いた封筒付冊子３０を正面から見た状態を模式的に表した説明図である。
【図１７】特許文献３に示された見出し付冊子４０の各葉を少し開いた状態の斜視図である。
【図１８】見出し付冊子４０の用紙の重なり状態を表した説明図説明図である。
【図１９】特許文献４に示された送付用情報記録冊子の平面図である。
【図２０】送付用情報記録冊子５０を正面から見た状態を模式的に表した説明図である。
【発明を実施するための形態】
【００１８】
以下、実施例１、実施例２に基づいて本発明を実施するための形態を説明する。
【実施例１】
【００１９】
図１〜図７は、本発明の第１実施形態である実施例１の封筒付冊子１を説明するもので、図１は、封筒付冊子１の構成を説明するための斜視図、図２は、折り重ねた封筒付冊子１を正面から見た状態を模式的に表した説明図、図３は、折り重ねた封筒付冊子１の平面図、図４は、折り重ねた封筒付冊子１の底面図、図５は、封筒付冊子１を第二葉３から開いた状態の平面図、図６は、図５に示す封筒付冊子１を正面から見た状態を模式的に表した説明図、図７は、図６のＸＸ断面図である。図中、１は封筒付冊子、２は封筒付冊子１の表紙（第一葉）、３、４は表紙２の内側に綴じ込まれる第二葉、第三葉、５は封筒付冊子１の裏面を形成する封筒用紙、５ａは封筒表面、５ｂは封筒裏面、６ａ、６ｂ、６ｃは折り線、６ｍ、６ｎは切取り線、７ａ、７ｂは接着剤層、Ｆ１は封筒部、Ｉ１は見出し部である。
【００２０】
図１、図２に示すとおり、封筒付冊子１は、上から順に表紙２、第二葉３、第三葉４及び封筒用紙５から構成される。そして、表紙２と封筒用紙５は１枚の用紙（第１の用紙）からなり、これを折り線６ａから折り重ねることにより表紙２と封筒用紙５が形成される。封筒用紙５にはミシン目状の第１の切取り線６ｍが設けられる（図４参照）と共に、封筒表面５ａと封筒裏面５ｂが設けられている。封筒裏面５ｂは、折り線６ｂに沿って封筒表面５ａに折り重ねられ、封筒表面５ａと封筒裏面５ｂは、図７に示すように、長手方向の上端部と下端部において接着剤層７ｂによって貼着され、封筒部Ｆ１が形成される。第二葉３と第三葉４は１枚の用紙（第２の用紙）からなり、これを折り線６ｃから折り重ねることにより第二葉３と第三葉４が形成され、第三葉４は、ミシン目状の第２の切取り線６ｎが設けられると共に、接着剤層７ａによって封筒用紙５に貼着されている。なお、表紙２、第二葉３及び第三葉４の表裏面には、各種案内申込書、商品の購入説明書等に使用されるタイトル、サービスや商品の説明文等が印刷され、封筒表面５ａには宛名印刷が施されている。
【００２１】
ここで、上から順に表紙２、第二葉３、第三葉４及び封筒用紙５となるように折り重ね、接着剤層７ａで第三葉４と封筒用紙５を貼着して封筒付冊子１とした場合、図２、図３に示すように、表紙２、第二葉３及び第三葉４の横幅は、順次大きくなっており、第二葉３及び第三葉４の綴じられていない側（開く側）に階段状の見出し部Ｉ１が形成される。すなわち、図３に示すように、表紙２の横幅をL1とすると、第二葉３の横幅は、表紙２の横幅よりa1大きいL1＋a1となり、第三葉４の横幅は、第二葉３の横幅よりｂ1大きいL1＋a1＋b1となり、第二葉３、第三葉４には幅a1、b1の見出し部Ｉ１が形成される。そして、この見出し部Ｉ１には、第二葉３と第三葉４の記載内容を表す見出しが印刷されている。なお、見出し部Ｉ１は、第二葉３と第三葉４の開く側の端部（上記幅a1、b1の部分）に表紙２の開く側の端部を加えて構成してもよい。
【００２２】
また、封筒用紙５において、第１の切取り線６ｍは、接着剤層７ａの近傍に設けられ、封筒用紙５の大部分を封筒部Ｆ１として切り取ることができ、封筒部Ｆ１を切り取った後も、封筒付冊子１の裏面側の見栄えを損なうことなく、封筒付冊子１を使用することができる。そして、封筒部Ｆ１において、封筒表面５ａの横幅は封筒裏面５ｂの横幅より少し大きくなっており、封筒表面５ａの封筒裏面５ｂからはみ出した部分が糊代となる。なお、封筒用紙５の天地方向（図５における縦方向）の長さが定型サイズの封筒の縦方向の長さを超えた場合、封筒部Ｆには、第１の切取り線６ｍと直交して定型サイズの封筒の長さとなる位置に、切離し線（図示せず）が設けられ、封筒部Ｆの切離し線より外側部分を切り離すことにより、定型サイズの封筒を得ることができる。
【００２３】
さらに、第三葉４において、第２の切取り線６ｎは、接着剤層７ａ近傍に設けられ、第三葉４の大部分が切り取れるようになっているが、第２の切取り線６ｎより外側部分は、申込書等を形成するための印刷が施され、切り離して申込書等として使用できるようになっている。そして、第三葉４から切り離した申込書等を、封筒用紙５から切り取られて封筒となった封筒部Ｆの中に入れ、その糊代を折り返して封緘することにより、申込書等を郵送することができる。
【００２４】
以上のように、封筒付冊子１においては、表紙２、第二葉３、第三葉４及び封筒用紙５が折り重ねられてその折り部が接着剤で貼着されたいわゆる糊綴じの冊子を構成し、その開き側の端部には、階段状の見出し部Ｉが形成されると共に、封筒用紙５には、切取り可能に封筒部Ｆが設けられているため、申込書等が印刷された冊子として使用する場合の利便性が一層向上し、また、封筒部Ｆを切り取った後も見栄えを損なうことなく冊子として使用することができる。
【００２５】
次に、封筒付冊子１の製造方法を説明する。封筒付冊子１は、連続する１枚の用紙に、印刷、切断、折り、ミシン目、接着剤塗布、貼り合せ等の加工を施すことにより、製造することができる。
【００２６】
図８は、封筒付冊子１の製造方法するに際し、連続する１枚の用紙に施す加工の種類と位置を表した説明図である。図において、Ａは、連続する１枚の用紙であり、Ａｘ１は、用紙の縦方向（進行方向）の切断位置を示す切断予定線、Ａｙ１とＡｙ２は、用紙の横方向（進行方向と直角方向）の切断位置を示す切断予定線、Ａｍ１とＡｍ２は、用紙の縦方向にミシン目を入れる位置を示すミシン目予定線、Ａｔ１〜Ａｔ３は、縦方向の折り位置を示す縦折り予定線、Ａｒ１〜Ａｒ３は、接着剤を塗布する領域を示す接着剤塗布予定領域である。
【００２７】
ここで、切断予定線Ａｙ１とＡｙ２の間隔ｐ１が、封筒付冊子１の縦方向の長さとなり、Ａｙ１とＡｙ２で仕切られる領域から１冊の封筒付冊子１が製造される。そして、Ａｙ１とＡｙ２で仕切られる領域のうち、切断予定線Ａｘ１と縦折り予定線Ａｔ１で仕切られる領域Ａ１が表紙２となり、用紙Ａの左端と縦折り予定線Ａｔ３で仕切られる領域Ａ２が第二葉３となり、縦折り予定線Ａｔ３と切断予定線Ａｘ１で仕切られる領域Ａ３が第三葉４となり、縦折り予定線Ａｔ１と用紙Ａの右端で仕切られる領域Ａ４が封筒用紙５となり、ミシン目予定線Ａｍ１と用紙Ａの右端で仕切られる領域Ａ５が封筒部Ｆ１となる。また、縦折り予定線Ａｔ１、Ａｔ２、Ａｔ３は、折り線６ａ、６ｂ、６ｃとなり、ミシン目予定線Ａｍ１は、第１の切り取り線６ｍとなり、ミシン目予定線Ａｍ２は、第２の切り取り線６ｎとなる。
【００２８】
以下、封筒付冊子１の製造方法を具体的に説明する。まず、輪転印刷機（図示せず）の給紙部から巻取状の用紙Ａを繰り出し、その表裏面に所定の印刷を施す。次いで、印刷された用紙Ａは、加工機（図示せず）で、ミシン目予定線Ａｍ１、Ａｍ２にミシン目加工が施された後に、切断予定線Ａｘ１で切断される。これによって用紙Ａは第１の用紙（右側部分）と第２の用紙（左側部分）に２分割され、第１の用紙（右側部分）に対して、接着剤塗布予定領域Ａｒ２とＡｒ３に接着剤が塗布されて接着剤層７ｂが形成される。その後、縦折り予定線Ａｔ２から領域Ａ４の部分が折り重ねられて貼着されて封筒部Ｆ１が形成されさらに、接着剤塗布予定領域Ａｒ１に接着剤が塗布されて接着剤層７ａが形成される。一方、第２の用紙（左側部分）は、折り予定線Ａｔ３が縦折り予定線Ａｔ１と一致するようにして、第１の用紙（右側部分）に重ねられて貼着された後、第１の用紙（右側部分）と第２の用紙（左側部分）が、領域Ａ２とＡ３が重なるように縦折り予定線Ａｔ１、Ａｔ３から同時に折り重ねられる。最後に、折り重ねられた第１の用紙（右側部分）と第２の用紙（左側部分）は、切断予定線Ａｙ１、Ａｙ２で切断されて、封筒付冊子１となる。このようにして、用紙Ａから封筒付冊子１が連続的に製造される。
【実施例２】
【００２９】
図９〜図１１は、本発明の第２実施形態である実施例２の封筒付冊子１１を説明するもので、図９は、封筒付冊子１１の構成を説明するための斜視図、図１０は、折り重ねた封筒付冊子１１を正面から見た状態を模式的に表した説明図、図１１は、折り重ねた封筒付冊子１１の平面図である。図中、１１は封筒付冊子、１２は封筒付冊子１１の表紙（第一葉）、１３、１８、１４は表紙１２の内側に綴じ込まれる第二葉、第三葉、第四葉、１５は封筒付冊子１１の裏面を形成する封筒用紙、１５ａは封筒表面、１５ｂは封筒裏面、１７ａ、１７ｂ、１７ｃは接着剤層、Ｆ２は封筒部、Ｉ２は見出し部である。
【００３０】
封筒付冊子１１は、封筒付冊子１と同一の構成を備え、さらに、第二葉３と第三葉４の間に１葉の用紙（第３の用紙）を挿入したものである。そして、封筒付冊子１１の表紙１２、第二葉１３、第四葉１４、封筒用紙１５、封筒表面１５ａ、封筒裏面１５ｂは、それぞれ封筒付冊子１の表紙２、第二葉３、第三葉４、封筒用紙５、封筒表面５ａ、封筒裏面５ｂに対応し、封筒付冊子１１の接着剤層１７ａ、１７ｂ、封筒部Ｆ２は、それぞれ封筒付冊子１の接着剤層７ａ、７ｂ、封筒部Ｆ１に対応する。また、封筒付冊子１１には、封筒付冊子１の折り線６ａ、６ｂ、６ｃと同様の折り線（図示せず）、切取り線７ａ、７ｂと同様の切取り線（図示せず）が設けられている。以下、封筒付冊子１１について、封筒付冊子１と異なる点について説明する。
【００３１】
封筒付冊子１１においては、図１０に示すように、第三葉１８が接着剤層１７ｃによって第四葉１４に貼着され、表紙１２と最終葉となる封筒用紙１５の間には、第二葉１３、第三葉１８、第四葉１４の３葉の用紙が綴じ込まれている。そして、図１０、図１１に示すように表紙１２、第二葉１３、第三葉１８及び第四葉１４の横幅は、順次大きくなっており、各葉の綴じられていない側（開く側）に階段状の見出し部Ｉ２が形成される。すなわち、図１１に示すように、表紙１２の横幅をL2とすると、第二葉１３の横幅は、表紙１２の横幅よりa2大きいL2＋a2となり、第三葉１８の横幅は、第二葉１３の横幅よりｂ2大きいL2＋a2＋b2となり、第四葉１４の横幅は、第三葉１８の横幅よりc2大きいL2＋a2＋b2＋c2となり第二葉１３、第三葉１８、第四葉１４には幅a2、b2、c2の見出し部Ｉ２が形成される。そして、この見出し部Ｉ２には、第二葉１３、第三葉１８及び第四葉１４の記載内容を表す見出しが印刷されている。なお、見出し部Ｉ２は、第二葉１３、第三葉１８及び第四葉１４の開く側の端部（上記幅a2、b2、c2の部分）に表紙１２の開く側の端部を加えて構成してもよい。
【００３２】
また、実施例２では、実施例１の封筒付冊子１の第二葉３と第三葉４の間に、横幅が第二葉３より大きく第三葉４より小さい１葉の用紙（第３の用紙である第三葉１８）を挿入して５葉からなる封筒付冊子としたが、この第３の用紙（第三葉１８）に代えて、横幅を異ならせて２つ折りした２葉の用紙であって、その横幅が第二葉３より大きく第三葉４より小さいものを挿入し、各葉の横幅が表紙から順に最終葉を除いて大きくなっている６葉からなる封筒付冊子としてもよい。
【００３３】
次に、封筒付冊子１１の製造方法を説明する。封筒付冊子１１は、実施例１の封筒付冊子１と同様に、連続する１枚の用紙に、印刷、切断、折り、ミシン目、接着剤塗布、貼り合せ等の加工を施すことにより、製造することができる。
【００３４】
図１２は、封筒付冊子１１の製造方法するに際し、連続する１枚の用紙に施す加工の種類と位置を表した説明図である。図において、Ｂは、連続する１枚の用紙であり、Ｂｘ１とＢｘ２は、用紙の縦方向（進行方向）の切断位置を示す切断予定線、Ｂｙ１とＢｙ２は、用紙の横方向（進行方向と直角方向）の切断位置を示す切断予定線、Ｂｍ１とＢｍ２は、用紙の縦方向にミシン目を入れる位置を示すミシン目予定線、Ｂｔ１〜Ｂｔ３は、縦方向の折り位置を示す縦折り予定線、Ｂｒ１〜Ｂｒ４は、接着剤を塗布する領域を示す接着剤塗布予定領域である。
【００３５】
ここで、切断予定線Ｂｙ１とＢｙ２の間隔ｐ２が、封筒付冊子１１の縦方向の長さとなり、Ｂｙ１とＢｙ２で仕切られる領域から１冊の封筒付冊子１１が製造される。そして、Ｂｙ１とＢｙ２で仕切られる領域のうち、切断予定線Ｂｘ１と縦折り予定線Ｂｔ１で仕切られる領域Ｂ１が表紙１２となり、切断予定線Ｂｘ２と縦折り予定線Ｂｔ３で仕切られる領域Ｂ２が第二葉１３となり、縦折り予定線Ｂｔ３と切断予定線Ｂｘ１で仕切られる領域Ｂ３が第四葉１４となり、縦折り予定線Ｂｔ１と用紙Ｂの右端で仕切られる領域Ｂ４が封筒用紙１５となり、ミシン目予定線Ｂｍ１と用紙Ｂの右端で仕切られる領域Ｂ５が封筒部Ｆ２となり、用紙Ｂの左端と切断予定線Ｂｘ２で仕切られる領域Ｂが第三葉１８となる。
【００３６】
以下、封筒付冊子１１の製造方法を具体的に説明する。まず、輪転印刷機（図示せず）の給紙部から巻取状の用紙Ｂを繰り出し、その表裏面に所定の印刷を施す。次いで、印刷された用紙Ｂは、加工機（図示せず）で、ミシン目予定線Ｂｍ１、Ｂｍ２にミシン目加工が施された後に、切断予定線Ｂｘ１とＢｘ２で切断される。これによって用紙Ｂは第１の用紙（右側部分）、第２の用紙（中央部分）及び第３の用紙（左側部分）に３分割され、第１の用紙（右側部分）に対して、接着剤塗布予定領域Ｂｒ２とＢｒ３に接着剤が塗布されて接着剤層１７ｂが形成される。その後、縦折り予定線Ｂｔ２から領域Ｂ４の部分が折り重ねられて貼着されて封筒部Ｆ２が形成され、さらに、接着剤塗布予定領域Ｂｒ１に接着剤が塗布されて接着剤層１７ａが形成される。一方、第２の用紙（中央部分）は、折り予定線Ｂｔ３が縦折り予定線Ｂｔ１と一致するようにして、第１の用紙（右側部分）に重ねられて貼着された後、接着剤塗布予定領域Ｂｒ４に接着剤が塗布されて接着剤層１７Ｃが形成される。さらに、第３の用紙（左側部分）がその左端が縦折り予定線Ｂｔ３と一致するようにして、第２の用紙（中央部分）に重ねられて貼着される。このようにして重ねられ貼着された第１の用紙（右側部分）、第２の用紙（中央部分）及び第３の用紙（左側部分）は、領域Ｂ２とＢ６が重なるように縦折り予定線Ｂｔ１、Ｂｔ３から同時に折り重ねられる。最後に、折り重ねられた第１の用紙（右側部分）、第２の用紙（中央部分）及び第３の用紙（左側部分）は、切断予定線Ｂｙ１、Ｂｙ２で切断されて、封筒付冊子１１となる。このようにして、用紙Ｂから封筒付冊子１１が連続的に製造される。
【産業上の利用可能性】
【００３７】
本発明に係る封筒付冊子は、金融、保険サービス等の案内申込書、商品等の購入説明書等の各種パンフレットに利用することができる。
【符号の説明】
【００３８】
１  封筒付冊子
２  表紙（第一葉）
３  第二葉
４  第三葉
５  封筒用紙
５ａ  封筒表面
５ｂ  封筒裏面
６ａ、６ｂ、６ｃ  折り線
６ｍ  第１の切り取り線
６ｎ  第２の切り取り線
７ａ、７ｂ  接着剤層
Ｆ１  封筒部
Ｉ１  見出し部
１１  封筒付冊子
１２  表紙（第一葉）
１３  第二葉
１４  第四葉
１８  第三葉
１５  封筒用紙
１５ａ  封筒表面
１５ｂ  封筒裏面
１７ａ、１７ｂ、１７ｃ  接着剤層
Ｆ２  封筒部
Ｉ２  見出し部
Ａ  連続する１枚の用紙
Ａｘ１、Ａｙ１、Ａｙ２  切断予定線
Ａｍ１、Ａｍ２  ミシン目予定線
Ａｔ１、Ａｔ２、Ａｔ３  縦折り予定線
Ａｒ１、Ａｒ２、Ａｒ３  接着剤塗布予定領域
Ｂ  連続する１枚の用紙
Ｂｘ１、Ｂｘ２、Ｂｙ１、Ｂｙ２  切断予定線
Ｂｍ１、Ｂｍ２  ミシン目予定線
Ｂｔ１、Ｂｔ２、Ｂｔ３  縦折り予定線
Ｂｒ１、Ｂｒ２、Ｂｒ３、Ｂｒ４  接着剤塗布予定領域
【図１】
2015101027.tif 000003
【図２】
2015101027.tif 000004
【図３】
2015101027.tif 000005
【図４】
2015101027.tif 000006
【図５】
2015101027.tif 000007
【図６】
2015101027.tif 000008
【図７】
2015101027.tif 000009
【図８】
2015101027.tif 000010
【図９】
2015101027.tif 000011
【図１０】
2015101027.tif 000012
【図１１】
2015101027.tif 000013
【図１２】
2015101027.tif 000014
【図１３】
2015101027.tif 000015
【図１４】
2015101027.tif 000016
【図１５】
2015101027.tif 000017
【図１６】
2015101027.tif 000018
【図１７】
2015101027.tif 000019
【図１８】
2015101027.tif 000020
【図１９】
2015101027.tif 000021
【図２０】
2015101027.tif 000022